(57)【要約】      （修正有）【課題】取り扱いが容易で確実に尿漏れをキャッチするとともにおむつ着用者が負担を感じることがなく、然も安価に得られるおむつの尿漏れ通報装置を提供する。【解決手段】おむつに貼付する周波数８．２ＭＨＺの万引き防止用タグと、万引き防止用タグと無線でつながる感知マット、及び感知マットとコードを介してつながり且つ周波数のずれを検出する検出器本体で構成される。感知マットは布カバーで覆われベッドとシーツの間に敷置される。【選択図】図１
0003138808.tif 000002
【実用新案登録請求の範囲】
【請求項１】
おむつに貼付する周波数８．２ＭＨＺの万引き防止用タグと、万引き防止用タグと無線でつながる感知マット、及び感知マットとコードを介してつながり且つ周波数のずれを検出する検出器本体からなる尿漏れ通報装置であって、感知マットは布カバーで覆われるとともにベッドとシーツの間に敷置されるものであることを特徴とするおむつの尿漏れ通報装置。
【請求項２】
おむつに貼付する周波数８．２ＭＨＺの万引き防止用タグと、小型の感知マットを内蔵した検出器本体からなる尿漏れ通報装置であって、検出器本体が携帯用で万引き防止用タグと無線でつながることを特徴とするおむつの尿漏れ通報装置。
【請求項３】
おむつに貼付するＬＣ共振回路タグと、ＬＣ共振回路タグと無線でつながる感知マット、及び感知マットとコードを介してつながり且つ周波数のずれを検出する検出器本体からなる尿漏れ通報装置であって、感知マットは布カバーで覆われるとともにベッドとシーツの間に敷置されるものであることを特徴とするおむつの尿漏れ通報装置。
【考案の詳細な説明】
【技術分野】
【０００１】  本考案は、病人・障害者等の着用しているおむつの尿漏れを感知し、離れた位置にいる第三者に知らせることのできるおむつの尿漏れ通報装置に関する。
【背景技術】
【０００２】  おむつを着用している病人・高齢者・障害者なとが尿漏れ現象を起こしたときに自ら尿漏れを言い出せない症状の場合や言い出すことにためらいを持つと、介護者が気が付くまでおむつが汚れたままで放置されることが少なくなく、このため着用者自身が不快感を味わうこととなったり非衛生なため体にも悪影響を及ぼし、また悪臭を発すると周囲にも迷惑をかけるといった不具合が生ずる。更に、繰り返し使用可能なおむつでは、汚れた状態が続くと払拭するのが容易でなく洗濯にも面倒な手数がかゝるなどの問題がある。
そこで従来おむつ内で尿漏れを起こしたときに、本人の告知がなくても家族や看護師等が尿漏れしたことを自動的に感知できるようにした装置の提案が種々なされている（例えば特許文献１〜３参照）。
【特許文献１】  特開平１１−２２１６１５４号公報
【特許文献２】  特開２００６−６０２号公報
【特許文献３】  特開２００６−３４９４１８号公報
【考案の開示】
【考案が解決しようとする課題】
【０００３】  特許文献１に記載のものは、非介護者の失禁等体液の漏出検出を無線で自動的に監視し、介護者に無線報知することを目的としたもので、おむつに湿度センサを備えた検出タグを装着しておき、失禁監視機から無線を介して失禁の検出を命令し、命令を受けた失禁検出タグは湿度センサの電気抵抗を測定し、電圧に換算して所定値と比較して失禁の有無を判定、結果を失禁監視機に返す。そして失禁監視機は失禁有データであれば介護者が所持する携帯端末機に無線で通報して、非介護者の失禁を処置するというものである。この技術によると、おむつに取り付ける失禁検出タグには湿度センサー等を具備することを要し、このためおむつ着用時の感触が悪くなる懸念と、寝返りなど不自然な姿勢となったときに湿度センサの機能に影響するなどの問題、及び介護者が絶えず携帯端末機を所持しなければならないなどの不利がある。【０００４】  特許文献２に記載のものは、おむつの濡れ回数、或いは濡れ時間の経過をも報知できるようにしておむつ交換が遅れることがあった場合にも使用者が耐えうる限界内にあるかどうかを判断できるようにしたことを目的としている。この技術は単なる濡れ報知装置とは異なる複数の目的を達成するために、濡れ検知装置、濡れ検知センサー、導電性パターン、リード線、ＲＦ−ＩＤタグなどの構成部を必要としており、したがっておむつに余分な負荷がかゝるだけでなく、製造工程も複雑となって製品を高価にする恐れがある。【０００５】  特許文献３に記載のものは、生活一般で発生する各種部位の濡れ状態を検出するＩＣタグ、及びＩＣタグで検出した濡れ状態に応じて柔軟な対応をとる濡れ検出システム並びにそのＩＣタグを用いて装着者の負担を軽減しながら濡れ状態を検出することができる濡れ検出おむつに関するものであり、濡れ検出おむつは、所定の情報が格納されているＩＣチップ及び該ＩＣチップに電気的に接続されることで所定の外部アンテナを介して外部に情報を発信する非接触通信用アンテナコイルを有するＩＣタグを少なくとも糞尿が検知できる所定の位置に組み込むことで、外部アンテナから発信される電波が受信できるか否か又は所定の識別番号が発信できるか否かに基づいて濡れ状態を検出することを特徴としている。この技術は、ＩＣタグのみをおむつに装着する点で前述の特許文献１・２に比べ着用者の負担の軽減が図れるとしているが、おむつに用いるＩＣタグは濡れた状態を確実に検出可能とするための情報の発信がなされる態様をとる必要があり、このためＩＣタグ自体当然ながらおむつ向けに製造する必要があってその分コストがかゝり、製品を高価にするという問題がある。【０００６】  本考案はこのような従来の事情に鑑みてなされたもので、おむつが違和感なく着用でき然も確実に尿漏れを検出して離れた位置の介護人・ナースセンターなどの第三者に遅滞なく知らしめることができることは勿論、装置の取り扱いが容易で、就中費用を節して安価に提供できる簡便な尿漏れ通報装置を提供しようとするものである。
【課題を解決するための手段】
【０００７】  すなわち本考案は、おむつに貼付する周波数８．２ＭＨＺの万引き防止用タグと、万引き防止用タグと無線でつながる感知マット、及び感知マットとコードを介してつながり且つ周波数のずれを検出する検出器本体からなるおむつの尿漏れ通報装置であって、感知マットは布カバーで覆われるとともにベッドとシーツの間に敷置されるものであることを特徴とする。【０００８】  また本考案は、おむつに貼付する周波数８．２ＭＨＺの万引き防止用タグと、小型の感知マットを内蔵した検出器本体からなるおむつの尿漏れ通報装置であって、検出器本体が携帯用で万引き防止用タグと無線でつながることを特徴としている。【０００９】  更に本考案は、おむつに貼付するＬＣ共振回路タグと、ＬＣ共振回路回路タグと無線でつながる感知マット、及び感知マットとコードを介してつながり且つ周波数のずれを検出する検出器本体からなる尿漏れ通報装置であって、感知マットは布カバーで覆われるとともにベッドとシーツの間に敷置されるものであることを特徴とする。
【考案の効果】
【００１０】  おむつに貼付する万引防止用タグはレンタルビデオ店等で使われている従来市販のものをそのまゝ利用でき、したがってタグ自体を新規に製造する必要がなく、余分なコストがかゝらないので装置を安価に提供できる。また万引き防止用タグは小型で頗る薄い素材からなるためおむつに取り付けても着用者が重さを自覚することもないので何ら負担となるような不具合も生じない。【００１１】  柔軟な素材で形成できる感知マットは体に順応し、薄型であるため体を横たえたときにその存在すら感じないほどで違和感がなく、ベッドとシーツの間に敷置するだけであるから取り扱いが簡単で万引き防止用タグとも近接して設置できるため信号を確実にキャッチでき、表面は布カバーで覆われているため汚損することがなく、布カバーの交換も任意にできて耐久性を保つことができる。
【課題を解決するための手段】
【００１２】  図面に基づき本考案を説明すると、図１は本案装置の組み合わせの概略を示し、１０はレンタルビデオ店などの商品に貼付される周知の万引き防止用タグであり、縦横５センチ程度の大きさのフィルム状のもので中心の周波数８．２ＭＨＺであるが、周波数にはプラマイ５％程度の上下幅がある。受付を通さずに商品を所持してゲートを通るとブザーが鳴って商品が不正に持ち出されたものであることを示すことも広く知られている。【００１３】  ２０は万引き防止用タグ１０の信号をキャッチする薄型の感知マットである。この感知マット２０は５０センチ×６０センチ程度の長方形をした合成樹脂・ゴム等の柔軟素材からなり、内部にアンテナである銅線２１が配設されていて厚みは３〜４ミリ程度である。銅線２１は２センチ径のコードで足り、マット外面に凹凸が形成されることはなく内蔵されていることが容易には認識されない。そして前記万引き防止用タグ１０とは無線で連なり、タグから発信される信号を外部に送信する機能を有する。【００１４】  ３０は感知マット２０とコード４０を介して連なる検出器本体であり、電源コード５１を有するアダプタ５０が取り付けされる。感知マット２０から信号が発信されると、検出器本体３０が受信した信号を外部機器６０で音又は光に変えるため介護者に直接尿漏れを知らせることができ、また離れた場所である例えばナースセンターなどにも直ちに通報される。【００１５】  前記の万引き防止用タグ１０は、正常な８．２ＭＨＺでは店舗のゲートに作用して盗難防止効果を発揮するが、濡れた状態ではその性能を失い、本来の役割を果たすことができない。本考案はこの点に着目したもので、すなわち尿水によって万引き防止用タグ１０が濡れ状態になると、８．２ＭＨＺであった周波数が７．５、６．５と下がり、その信号を感知マット２０を通って検出器本体３０が取り込む。検出器本体３０は図示しないが高周波発振部・受信及び検波回路・センサー検知部・警報信号出力部などで構成され、感知マット２０から取り込んた信号のずれを検出して濡れ信号を出力する。出力された信号は、検出器本体３０に接続された警報ランプ・ブザー・チャイムなどの外部機器６０に送られて光や音として第三者に尿漏れがあったことを知らせることができる。【００１６】  図２は本案装置の取り付けの一例であり、万引き防止用タグ１０、感知マット２０、検出器本体３０が配置された状態を示している。すなわち万引き防止用タグ１０は着用者のおむつ７０内部に直接貼付される。貼付位置に特に限定はないが、尿水分が確実にキャッチされる尾てい骨近辺が好ましく、またティッシュペーパーなどを万引き防止タグ１０に重ね合わせることなどは任意の事項である。【００１７】  感知マット２０はベッド８０とシーツ９０の間に敷置されておむつ７０の該当個所に臨み、万引き防止用タグ１０に近接する。感知マット２０がおむつ７０直下に位置するため万引き防止用タグ１０から発せられる周波数は感知マット２０で確実に補足される。なおベッド８０に金属部材が組み込まれていて信号が十分にキャッチできないときは、感知マット２０の該当個所に発泡スチロールなどを介在させればよい。而して感知マット２０は図３のように不織布等から���る着脱自在の布カバー２２によって覆われており尿水がマットに直接することはない。またこのように布カバー２２を被せることにより衝撃を緩和することもできて耐久性が維持されるとともに布カバー２２の交換も容易であり感知マット２０の衛生状態が保たれる。なお感知マット２０と検出器本体３０間のコード４０には、テレビのアンテナ線同様に左右の内部線が離れている平行線状のものが効果的である。【００１８】  検出器本体３０は大型のものではないので片手で容易に把持されてベッド８０の側面など任意位置に取り付けられ、またアダプタ５０もベッド８０は当然としてそれ以外の例えば床面に設置するなどしても何ら不都合は生じない。万引き防止用タグ１０からの情報が感知マット２０でキャッチされ、検出器本体３０に連ねた外部機器６０から警報音又は光が発せられると、領域内の介護者等が尿漏れであることを認識しておむつ替えの処置を遅滞なく行うことができ、したがっておむつ着用者に尿漏れの自覚がない場合でも迅速な処置により衛生的な環境が維持される。【００１９】  上記の外部機器６０は、例えば病院・特老施設であればナースコールとして、新生児用には点滅表示として、また在宅用であれば単三電池２本を組み込んだチャイム音としての機能を有するもの等その使用分野は問わない。特に大部屋で多数人が起き伏しする病院内では尿漏れ現象を起こしたときに他人に気付かれないでナースセンターへの通報が自動的になされることは本人は当然として同室者に迷惑をかけることなく処置できる点でも好ましい。【００２０】  図４は携帯用とした本考案の他の実施態様を示すもので、病人Ａの歩行・外出時などに介護人Ｂが所持する例である。この場合も周波数８．２ＭＨＺの万引き防止用タグ１０はおむつ７０に貼付されるが、ベッドで使用するのと異なるため感知マット（不図示）は検出器本体３０内に組み込まれる。ベッド上のようにおむつ７０と感知マットは近接していないが、検出器本体３０を携帯する介護人Ｂが時々病人Ａのおむつ７０近傍に該検出器本体３０をあてがって周波数のずれを検出する確認作業をすればよく、こうすることにより検出器本体３０に反応する例えばＬＥＤ点灯によって尿漏れ事実を介護人Ｂに伝えることができる。【００２１】  図５はＬＣ共振回路タグ１０′を用いた装置の概略であり、すなわちＬＣ共振回路タグ１０′は感知マット２０と無線でつながり、感知マット２０はコード４０を介して検出器本体３０とつながる。そして感知マット２０は布カバーで覆われ、ベッドとシーツの間に敷置される。ＬＣ共振回路タグ１０′も万引き防止に用いられること勿論で前述した万引き防止のタグとは同義であり、したがって図中、図１と同一符合は同一部分を示し、その他取り付け態様なども前述の万引き防止用タグ１０を用いた実施形態と同一であるからその他の図面及び説明については省略する。【００２２】  上記のように本考案は、従来の尿漏れ防止技術では知見の及ばない市販の万引き防止用タグ１０・ＬＣ共振回路タグ１０′を用いることを主旨とする新規な装置であるが、感知マット２０と検出器本体３０の回路系については一般的な構成とも重なるため詳細については省略する。なお実施態様等で示した形状・数値なども、本考案の目的・効果を奏する限りにおいての変更は本考案の自由な実施範囲に属し、また貼付したタグに汗吸収用としてティッシュを折りたたんで重ねるなとの付加的事項は本考案の主旨を逸脱しない限り本技術の範疇に属すること勿論である。
【図面の簡単な説明】
【００２３】
【図１】本案装置の概略を示すブロック図である。
【図２】本案装置の取り付け例を示す説明図である。
【図３】布カバーで覆われる感知マットの斜視図である。
【図４】本考案の他の例を示す説明図である。
【図５】本案装置の概略を示す他のブロック図である。
【符号の説明】
【００２４】１０  万引き防止用タグ    １０′ＬＣ共振回路タグ
２０  感知マット
２１  銅線
２２  布カバー
３０  検出器本体
４０  コード
５０  アダプタ
５１  電源コード
６０  外部機器
７０  おむつ
８０  ベッド
９０  シーツ
【図１】
0003138808.tif 000003
【図２】
0003138808.tif 000004
【図３】
0003138808.tif 000005
【図４】
0003138808.tif 000006
【図５】
0003138808.tif 000007